(57)【要約】【課題】屈曲光学系を備えたカメラにおいて、撮影時の不用意なレンズ開口部への指係りを防止し、かつ薄型化、小型化を達成するため、カメラ内部に効率的に構成要素を配置する。【解決手段】屈曲光学系２２が、標準姿勢のカメラ１０を被写体側から見たときにカメラ１０の左右方向の略全幅に渡って延在するように、カメラ１０内に配置される。【選択図】  図２
2004219516.tif 000002
【特許請求の範囲】
【請求項１】
被写体光の光軸を略直角に折り曲げた後に被写体像を結像する屈曲光学系を備えたカメラにおいて、
前記屈曲光学系が、標準姿勢の当該カメラを被写体側から見たときに当該カメラの左右方向の略全幅に渡って延在するように、カメラ内に配置されたことを特徴とする、屈曲光学系を備えたカメラ。
【請求項２】
前記屈曲光学系以外の少なくとも１つの構成要素を、該構成要素の長手方向が前記屈曲光学系の折り曲げ後の被写体像側光軸と略平行となるように、配置したことを特徴とする、請求項１記載のカメラ。
【請求項３】
前記標準姿勢の当該カメラを被写体側から見たときに、前記カメラ本体の左端近傍には被写体側に膨出したグリップ部を設け、該グリップ部の内側に、前記屈曲光学系が結像した被写体像を撮像するための撮像手段と、該撮像手段に接続された回路基板とを配置したことを特徴とする、請求項１記載のカメラ。
【請求項４】
被写体光の光軸を略直角に折り曲げた後に被写体像を結像する屈曲光学系を備えたカメラにおいて、
前記屈曲光学系が、標準姿勢の当該カメラを被写体側から見たときに前記カメラの略中央を通り上下方向又は左右方向の略全幅に渡って延在するように、カメラ内に配置され、
前記屈曲光学系に関して両側の空間に、前記屈曲光学系以外の複数の構成要素が分けて配置されたことを特徴とする、屈曲光学系を備えたカメラ。
【請求項５】
前記標準姿勢の当該カメラを被写体側から見たときに、前記カメラ内の前記屈曲光学系より上の上部空間に、少なくとも、カメラの操作部材と、フラッシュ装置とを配置し、前記カメラ内の前記屈曲光学系より下の下部空間に、少なくとも、電源と、カメラを制御する制御部と、フラッシュ充電装置とを配置し、
前記上部空間に配置された構成要素と前記下部空間に配置された構成要素とを電気的に接続する接続部材が、前記屈曲光学系の折り曲げ後の被写体側光軸に沿って細くなった部分に隣接する空間、又は前記屈曲光学系の光軸を折り曲げる屈曲部材の光軸とは反対側に隣接する空間を通るように、カメラ内に配置されたことを特徴とする、請求項４記載のカメラ。
【発明の詳細な説明】
【０００１】
【発明の属する技術分野】
本発明は、屈曲光学系を備えたカメラに関し、詳しくは、被写体光の光軸を略直角に折り曲げた後に被写体像を結像する屈曲光学系を備えたカメラに関する。
【０００２】
【従来の技術】
従来、種々のデジタルカメラが提案されている。
【０００３】
例えば、特許文献１には、表示装置を備えた本体部の上部に、カメラ部を水平に配置した電子カメラ装置が開示されている。この装置では、カメラ部の光軸は、ミラー等で折り曲げられ、折り曲げ後の光軸は、カメラ長手方向に沿って配置され、カメラ部は折り曲げ後の光軸中心に回転するようになっている。この装置のカメラ部の光学系は、カメラの全幅を利用して配置されていない。また、他の部品に関してカメラ部に平行に配置することや、接続コード線については、開示されていない。
【０００４】
特許文献２には、光軸を折り曲げた部分が回転する光学系を備え、光学系の前にメモリーカード、後に液晶表示パネルを配置して、本体の小型化を図った電子カメラが開示されている。このカメラでは、電池を暖めるため、撮像素子に取り付けられる放熱板の近くに電池を配置している。他の部品の配置に関して、光学系と平行に配置することや、カメラの全幅を利用してカメラ部を配置することは、開示されていない。
【０００５】
特許文献３には、記録再生機構部の一辺に沿って屈曲光学系を配置することで、小型化を実現するビデオカメラが開示されているが、屈曲光学系を横置き配置すること、他の部品の配置方向、接続コードなどについては記載がない。
【０００６】
また、前から見て右端に屈曲光学系を縦方向に配置することで、薄型化を図ったカメラが市販されている。
【０００７】
【特許文献１】
特開平１０−２５３８８６号公報
【特許文献２】
特開平１１−２２０６４６号公報
【特許文献３】
特開平９−１６３２０６号公報
【０００８】
【発明が解決しようとする課題】
カメラは携帯性の向上のため、小型化薄型化が求められている。また、撮影者の意図通りに撮影を行うために、その機能も各種工夫されている。
【０００９】
光学系においては、簡易な単焦点光学系に比べ、その撮影範囲を変更することかできるズーム又は多焦点レンズを装備するカメラが人気を集めている。そのような多焦点、ズームレンスでは、撮影時の光学系が短焦点レンズの光学系よりも長くなってしまう。カメラの小型化とズームレンズの装備を両立させるため、光学系を収納時に沈胴させるものは、銀塩フィルムを使うカメラでも、電子記録を行うカメラでも広く一般に使用されている。
【００１０】
電子記録を行うカメラでは、撮像素子部が従来の銀塩フィルムカメラのフィルム面に比べ比較的小さく、また、銀塩フィルムカメラのように、フィルムの巻き取りや収納が必要でないので、カメラ内部でのレンズの配置の自由度が高い。このため沈胴とは違った方法での小型化として、光束を光学系の途中で略９０度折り曲げるタイプのカメラが発売又は公開されている。この略９０度折り曲げるタイプのカメラでは、光学系の前後方向の長さを、縦横方向に変換することで、主にカメラ本体の前後方向の厚みを薄くしてカメラの携帯性を向上させる効果が得られる。また、折り曲げられた光学系を、カメラ表示部や電源部に対して回転可能に配置することで、カメラ撮影時の本体部と被撮影領域の角度を可変として撮影をやりやすくする技術も公開されている。
【００１１】
ズーム又は多焦点光学系では、その撮影倍率が増すにつれて、一般には光学系の全長が長くなる。このため、屈曲光学系を本体縦方向に装備するカメラにおいては、光学系のズーム比率を上げると、光学系の全長が長くなり、必然的にカメラの高さが高くなってしまう。カメラ全体の体積としての小型化をこのような光学系を用いて実現するには、横方向の長さを短縮する必要がある。しかし、あまりに横方向の長さを短縮すると、通常行われている右手でカメラを保持する撮影において、保持する右手で撮影光学系に被写体光を導くレンズ開口部を覆う危険性がある。
【００１２】
したがって、本発明が解決しようとする技術的課題は、屈曲光学系を備えたカメラにおいて、撮影時の不用意なレンズ開口部への指係りを防止し、かつ薄型化、小型化を達成するため、カメラ内部に効率的に構成要素を配置することである。
【００１３】
【課題を解決するための手段】
本発明は、上記技術的課題を解決するために、以下の構成のカメラを提供する。
【００１４】
カメラは、被写体光の光軸を略直角に折り曲げた後に被写体像を結像する屈曲光学系を備える。前記屈曲光学系が、標準姿勢の当該カメラを被写体側から見たときに当該カメラの左右方向の略全幅に渡って延在するように、カメラ内に配置される。
【００１５】
上記構成において、屈曲光学系による被写体の結像位置には、撮像素子の受光面が配置される。一般に、カメラの上面には、撮影開始操作のためのレリーズ釦が配置されており、カメラ本体の底面には三脚ネジ穴が設けられるものが多く、カメラは、標準姿勢において、上面が文字通り上となり、底面は略水平となる。このような標準姿勢のカメラを被写体側から見たときに、屈曲光学系はカメラ本体の左右方向（横方向）の略全幅に渡って、カメラ内に配置される。カメラの上面にレリーズ釦が配置されない場合も同様である。
【００１６】
標準姿勢のカメラを被写体側から見たときに、上記のように構成すれば、カメラの左右方向の略全幅を利用して、長い屈曲光学系（例えば、焦点距離が長いものや、ズーム倍率が大きいもの）を備えることができ、横方向の寸法をできるだけ小さくすることができる。
【００１７】
上記構成によれば、標準姿勢のカメラを被写体側から見たときに、カメラの左側（又は右側）を使用者が片手で保持し、カメラの右側（又は左側）に屈曲光学系に被写体光を導くレンズ開口部を設けるようにすれば、レンズ開口部の指係りを防止することができる。また、屈曲光学系の配置方向を考慮して、屈曲光学以外の構成要素をカメラ内に配置することで、カメラの薄型化、小型化を図ることができる。特に被写体に対して接離する方向については、屈曲光学系と略等しい寸法まで、薄型化することが可能である。
【００１８】
一般に、標準姿勢のカメラを被写体側から見たときに、横方向に長いカメラの方が、縦方向に長いカメラよりも使いやすいので、上記構成は、特に横方向に長いカメラに好適である。
【００１９】
好ましくは、前記屈曲光学系以外の少なくとも１つの構成要素を、該構成要素の長手方向が前記屈曲光学系の折り曲げ後の被写体像側光軸と略平行となるように、配置する。
【００２０】
上記構成によれば、カメラ内に長い構成要素を効率よく配置し、カメラの薄型化、小型化を図ることができる。
【００２１】
具体的には、カメラに電源を供給する電池と、前記屈曲光学系が結像した前記被写体像を撮像するための撮像手段により電気信号に変換された画像データを記録するための記録媒体と、フラッシュ装置用のコンデンサとの中の少なくとも１つの構成要素を、該構成要素の長手方向が前記屈曲光学系の折り曲げ後の被写体側光軸と略平行となるように、配置する。
【００２２】
好ましくは、前記標準姿勢の当該カメラを被写体側から見たときに、前記カメラ本体の左端近傍には被写体側に膨出したグリップ部を設ける。該グリップ部の内側に、前記屈曲光学系が結像した被写体像を撮像するための撮像手段と、該撮像手段に接続された回路基板とを配置する。
【００２３】
上記構成によれば、カメラの把持が容易になるグリップ部の内側の空間を有効に利用して、カメラの薄型化、小型化を図ることができる。
【００２４】
好ましくは、前記標準姿勢の当該カメラを被写体側から見たときに、前記屈曲光学系が前記カメラの上下方向の略中央に水平に配置され、前記屈曲光学系の上部及び下部に、それぞれ少なくとも１つの構成要素を、該各構成要素の長手方向が前記屈曲光学系の折り曲げ後の被写体像側光軸と略平行となるように、配置する。
【００２５】
屈曲光学系をカメラ内の最上部に配置すると、光学ファインダ装置やフラッシュ装置の配置に工夫を要するが、上記構成によれば、配置が容易になる。また、屈曲光学系の上部及び下部に構成要素を配置することで、カメラ本体の厚みを小さくして、カメラの薄型化、小型化を図ることもできる。
【００２６】
また、本発明は、以下の構成のカメラを提供する。
【００２７】
カメラは、被写体光の光軸を略直角に折り曲げた後に被写体像を結像する屈曲光学系を備える。前記屈曲光学系が、標準姿勢の当該カメラを被写体側から見たときに前記カメラの略中央を通り上下方向又は左右方向の略全幅に渡って延在するように、カメラ内に配置される。前記屈曲光学系に関して両側の空間に、前記屈曲光学系以外の複数の構成要素が分けて配置される。
【００２８】
上記構成において、屈曲光学系による被写体の結像位置には、撮像素子の受光面が配置される。一般に、カメラの上面には、撮影開始操作のためのレリーズ釦が配置されており、カメラ本体の底面には三脚ネジ穴が設けられるものが多く、カメラは、標準姿勢において、上面が文字通り上となり、底面は略水平となる。このような標準姿勢のカメラを被写体側から見たときに、屈曲光学系はカメラ本体の左右方向（横方向）の略全幅に渡って、カメラ内に配置される。カメラの上面にレリーズ釦が配置されない場合も同様である。
【００２９】
標準姿勢のカメラを被写体側から見たときに、上記のように構成すれば、カメラの左右方向の略全幅を利用して、長い屈曲光学系（例えば、焦点距離が長いものや、ズーム倍率が大きいもの）を備えることができ、横方向の寸法をできるだけ小さくすることができる。
【００３０】
上記構成によれば、標準姿勢のカメラを被写体側から見たときに、屈曲光学系を左右方向に配置する場合、カメラの左側（又は右側）を使用者が片手で保持し、カメラの右側（又は左側）に屈曲光学系に被写体光を導くレンズ開口部を設けるようにすれば、レンズ開口部の指係りを防止することができる。標準姿勢のカメラを被写体側から見たときに、屈曲光学系を上下方向に配置する場合、カメラの左右のいずれか一方又は両方を使用者が手で保持し、カメラの上側（又は下側）に屈曲光学系に被写体光を導くレンズ開口部を設けるようにすれば、レンズ開口部の指係りを防止することができる。
【００３１】
上記構成によれば、屈曲光学系の配置方向を考慮して、屈曲光学以外の構成要素を屈曲光学の両側に分けて配置することで、カメラの薄型化、小型化を図ることができる。特にカメラ本体の厚みについては、屈曲光学系と略等しい寸法まで、薄型化することが可能である。
【００３２】
一般に、標準姿勢のカメラを被写体側から見たときに、横方向に長いカメラの方が、縦方向に長いカメラよりも使いやすいので、上記構成は、特に横方向に長いカメラに好適である。
【００３３】
好ましくは、前記屈曲光学系が、前記標準姿勢の当該カメラを被写体側から見たときに前記カメラの略中央を通り左右方向の略全幅に渡って延在するように、カメラ内に配置される。
【００３４】
屈曲光学系をカメラ内の最上部に配置すると、光学ファインダ装置やフラッシュ装置の配置に工夫を要するが、上記構成によれば、配置が容易になる。また、屈曲光学系の上下両側に構成要素を配置することで、カメラ本体の厚みを小さくして、カメラの薄型化、小型化を図ることもできる。
【００３５】
この場合、好ましくは、前記標準姿勢の当該カメラを被写体側から見たときに、前記カメラ内の前記屈曲光学系により上の空間に、光学ファインダ装置及びフラッシュ装置の少なくとも一方を配置し、前記カメラ内の前記屈曲光学系により下の空間に、少なくとも、取り外し可能な電源及び交換可能な記録媒体を配置しする。
【００３６】
カメラの上部に光学ファインダ装置を配置すれば、カメラの操作性がよい。被写体の影の出方を考慮すると、フラッシュ装置はカメラの上部に配置することが好ましい。取り外し可能な電源や交換可能な記録媒体をカメラの下部に集めれば、配置効率を向上することができる。
【００３７】
好ましくは、前記標準姿勢の当該カメラを被写体側から見たときに、前記カメラ内の前記屈曲光学系より上の上部空間に、少なくとも、カメラの操作部材と、フラッシュ装置とを配置し、前記カメラ内の前記屈曲光学系より下の下部空間に、少なくとも、電源と、カメラを制御する制御部と、フラッシュ充電装置とを配置する。前記上部空間に配置された構成要素と前記下部空間に配置された構成要素とを電気的に接続する接続部材が、前記屈曲光学系の折り曲げ後の被写体側光軸に沿って細くなった部分に隣接する空間、又は前記屈曲光学系の光軸を折り曲げる屈曲部材の光軸とは反対側に隣接する空間を通るように、カメラ内に配置される。
【００３８】
上記構成によれば、電源・制御系をカメラ下部にまとめて配置し、カメラ上部への接続を屈曲光学系の狭くなった部分に隣接する空間、又は光軸を折り曲げるミラー、プリズムなどの屈曲部材の後方（光軸とは反対側）の略三角形の空間を利用することで、被写体に接離する方向のカメラ本体寸法を小さくして、カメラの薄型化、小型化を図ることができる。
【００３９】
好ましくは、前記標準姿勢の当該カメラを被写体側から見たときに、前記接続部材を被写体側に配置し、表示装置を被写体とは反対側に配置する。
【００４０】
上記構成によれば、カメラ内のスペースを有効に利用し、カメラの薄型化、小型化を実現することができる。
【００４１】
【発明の実施の形態】
以下、本発明の実施の形態として実施例を図１〜図９に基づいて説明する。
【００４２】
まず、第１実施例のデジタルカメラ１０を、図１及び図２を参照しながら説明する。
【００４３】
図１の斜視図に示すように、標準姿勢のデジタルカメラ１０のカメラ本体１２は、前（被写体側）から見て横方向（左右方向）に長く、前後方向（カメラ本体の厚み）の寸法が小さい薄型形状である。カメラ本体１２の上面には、カメラ１０の操作部材であるレリーズ釦１４が配置されている。前面には、フラッシュ発光窓１６、光学ファインダ対物窓１８、レンズ開口部１９が配置されている。側面には、電池収納室の開口部を覆う開閉蓋１３が配置されている。
【００４４】
図２の透視図に示すように、カメラ本体１２内の上下方向の略中央には、カメラ本体１２の略全幅に渡って、屈曲光学ユニット２２が水平に配置されている。屈曲光学ユニット２２は、屈曲光学系を含み、一端（図において右側）には反射用の三角プリズム２１が配置され、レンズ開口部１９からの入射光を水平方向に反射し、被写体光の光軸を図において水平方向左側に略９０度折り曲げるようになっている。他端（図において左側）には、撮像素子２４（例えば、ＣＣＤ撮像素子）が配置され、撮像素子２４の受光面には、屈曲光学ユニット２２の屈曲光学系により被写体像を結像するようになっている。
【００４５】
なお、図示していないが、レンズ開口部１９とプリズム２１との間には、屈曲光学ユニット２２の対物レンズが配置されている。レンズ開口部１９は、図示していないが、スライドバリアなど含むレンズ保護機構を設け、電源スイッチのオン・オフに応じてスライドバリアが開閉し、対物レンズを保護するようになっている。
【００４６】
次に、第２実施例のデジタルカメラ１０ａについて、図３及び図４を参照しながら説明する。以下の各実施例では、同様の構成部分には同じ符号を用い、相違点を中心に説明する。
【００４７】
図３の斜視図に示すように、デジタルカメラ１０ａのカメラ本体１２ａは、横方向に長い薄型形状であり、図において左側には、前方（被写体側）に突出したグリップ部１５が設けられている。カメラ本体１２ａの上面には、レリーズ釦１４が配置されている。前面には、フラッシュ発光窓１６及びレンズ開口部１９が配置されている。レンズ開口部１９は、カメラ本体１２ａを保持したときに使用者の指で覆われないように、グリップ部１５とは反対側（図において右側）に配置されている。側面には、電池収納室の開口部を覆う開閉蓋１３が配置されている。背面には、図示していないが、薄型の表示装置（例えば液晶表示パネル）が配置され、撮影した画像を表示できるようになっている。
【００４８】
図４の透視図に示すように、カメラ本体１２ａの上部には、カメラ本体１２の略全幅に渡って、屈曲光学ユニット２２が水平に配置されている。屈曲光学ユニット２２の一端（図において右側）には、反射用の三角プリズム２１が配置され、レンズ開口部１９からの入射光を水平方向に反射し、被写体光の光軸を図において水平方向左側に略９０度折り曲げるようになっている。他端（図において左側）には、撮像素子２４（例えば、ＣＣＤ撮像素子）が配置され、撮像素子２４の受光面には、屈曲光学ユニット２２の光学系により被写体像が結像するようになっている。
【００４９】
グリップ部１５の内側には、撮像素子２４や撮像素子２４に接続された基板（図示せず）が配置されている。撮像素子２４や撮像素子２４に接続された基板（図示せず）の一部が屈曲光学ユニット２２よりも前方（被写体側）に突出する場合、その突出部分をグリップ部１５の内側に収納することで、グリップ部１５を除くカメラ本体１２ａの他の部分の厚さを、第１実施例のカメラ１０よりも小さくし、カメラ１０ａの薄型化、小型化を図ることができる。
【００５０】
なお、屈曲光学系２２は、カメラ本体１２ａの上部に配置されているが、第１実施例のように上下方向の略中央に配置した場合でも、グリップ部１５の内側に撮像素子２４や基板などを配置してもよい。
【００５１】
次に、第３実施例のデジタルカメラ１０ｂについて、図５の部品配置図を参照しながら説明する。図５（ａ）は、上から見た透視図、（ｂ）は前から見た透視図、（ｃ）は横から見た透視図である。
【００５２】
カメラ本体１２ｂ内の上下方向の略中央には、屈曲光学ユニット２２がカメラ本体部１２ｂの略全幅に渡って図において左右方向に配置されている。レンズ開口部（図示せず）とプリズム２１との間には、屈曲光学ユニット２２の対物レンズ２０が配置されている。撮像素子２４とグリップ部１５ｂのハウジングとに隣接するように放熱板２６が配置され、撮像素子２４で発生した熱をグリップ部１５ｂからカメラ外部に放熱するようになっている。
【００５３】
屈曲光学ユニット２２の下部には、直方体形状の２次電池である充電式電池パック３２と、フラッシュ用メインコンデンサ５０とが配置されている。上部には、光学ファインダー対物窓１８、フラッシュ発光窓１６やフラッシュ発光部１７が配置されている。また、記録媒体３０を装填するスロット部（図示せず）も上部に設けられている。屈曲光学ユニット２２と、電池パック３２と、フラッシュ用メインコンデンサ５０と、スロット部（図示せず）に装填後の記録媒体３０と、フラッシュ発光部１７のキセノン管とは、それぞれの長手方向が互いに平行になるように、図５（ｂ）において左右方向に配置されている。
【００５４】
カメラ本体１２ｂを前から見たときに、右側には、ユーザーが交換できないフラッシュ発光部１７やフラッシュ用メインコンデンサ５０を配置し、左側にはユーザーが交換する記録媒体３０のスロット（図示せず）や電池パック３２の収納室（図示せず）を配置し、空間利用効率をよくしている。
【００５５】
カメラ本体１２ｂ内の前側には、接続用ハード基板４０が配置され、後側には表示装置２８（例えば、液晶表示パネル）が配置されている。接続用ハード基板４０は、屈曲光学ユニット２２の上部に配置されたフラッシュ発光部１７や記録媒体３０と、屈曲光学ユニット２２の下部に配置された電池パック３２やフラッシュ用メインコンデンサ５０とを、電気的に接続する。接続用ハード基板４０に、制御回路が含まれるようにしてもよい。
【００５６】
なお、以下の各実施例においては図示していないが、カメラ本体の上面には、カメラの操作部材であるレリーズ釦が配置されている。
【００５７】
次に、第４実施例のデジタルカメラ１０ｃについて、図６の部品配置図を参照しながら説明する。図６（ａ）は、上から見た透視図、（ｂ）は前から見た透視図、（ｃ）は横から見た透視図である。
【００５８】
カメラ本体１２ｃ内の略中央には、屈曲光学ユニット２２がカメラの略全幅に渡って図において左右方向に配置されている。
【００５９】
下部には、記録媒体３８（例えば、メモリースティック）が挿入されるスロット部（図示せず）と、フラッシュ充電回路基板５２と、他の回路基板４４ａ，４４ｂと、交換可能な円柱形状の２本の乾電池３４を収納する電池室（図示せず）とが、屈曲光学ユニット２２の長手方向と平行に、すなわち図において左右方向に配置されている。
【００６０】
屈曲光学ユニット２２の背後には、薄型の表示装置２８（例えば、液晶表示パネル）が配置されている。
【００６１】
屈曲光学ユニット２２のすぐ上には、カメラ全幅の７０％又はそれ以上の長さの制御回路基板４２が図において水平に配置されている。制御回路基板４２には、電子部品（図示せず）が実装されている。制御回路基板４２の上方には、フラッシュ発光部１７とフラッシュ用メインコンデンサ５０とが配置されている。フラッシュ発光部１７のキセノン管とフラッシュ用メインコンデンサ５０とは、それぞれの長手方向が屈曲光学ユニット２２の長手方向と平行に、すなわち図６（ｂ）において左右方向になるように配置されている。
【００６２】
制御回路基板４２は、フラッシュ充電回路基板５２、他の回路基板４４ａ，４４ｂ、表示装置２８と、それぞれ、フレキシブル基板４６ａ，４６ｂ，４６ｃ，４６ｄにより接続され、制御のみならず、電気的接続の中継も行うようになっている。フレキシブル基板４６ａ，４６ｂ，４６ｃは、屈曲光学ユニット２２の細くなった部分（可動レンズ群がなく、光路が狭くなっている部分）の近傍空間を利用して、配置される。
【００６３】
次に、第５実施例のデジタルカメラ１０ｄについて、図７の部品配置図を参照しながら説明する。図７（ａ）は、上から見た透視図、（ｂ）は前から見た透視図、（ｃ）は横から見た透視図である。
【００６４】
カメラ本体１２ｄ内の上部には、屈曲光学ユニット２２がカメラ本体１２ｄの略全幅に渡って図において左右方向に配置されている。屈曲光学ユニット２２の一端（図において右側）には反射用プリズム２１が配置され、他端（図において左側）には、撮像素子２４が配置されている。
【００６５】
下部には、記録媒体３８（例えば、メモリースティック）が挿入されるスロット部（図示せず）と、直方体形状の２次電池である充電式電池パック３２と、回路基板４５と、交換可能な円柱形状の２本の乾電池３４を収納する電池室（図示せず）と、フラッシュ充電回路基板５６とが、光学ユニット２２の長手方向と平行に、すなわち図７（ｂ）において左右方向に配置されている。
【００６６】
図７（ｃ）に示すように、屈曲光学ユニット２２の鏡胴部（プリズム２１から撮像素子２４までの部分）とカメラ本体１２ｄの外装カバーとの間の空間には、反射傘を含むフラッシュ発光部１７とフラッシュ充電基板５６上に配置されたフラッシュ用メインコンデンサ５０とを配置し、屈曲光学ユニット２２の鏡胴部の周囲の空間を有効に利用している。
【００６７】
次に、第６実施例のデジタルカメラ１０ｅについて、図８の部品配置図を参照しながら説明する。図８（ａ）は、上から見た透視図、（ｂ）は前から見た透視図である。
【００６８】
カメラ本体１２ｅの上下方向の略中央には、屈曲光学ユニット２２がカメラ本体１２ｅの略全幅に渡って図において左右方向に配置されている。
【００６９】
屈曲光学ユニット２２の下部には、フラッシュ充電回路基板５２と、フラッシュ用メインコンデンサ５０と、制御回路基板４２と、電池パック３２（図示せず）とが、光学ユニット２２の長手方向と平行に、すなわち図において左右方向に配置されている。
【００７０】
屈曲光学ユニット２２の上部には、他の実施例と同様に、記録媒体３８（例えば、メモリースティック）が挿入されるスロット部（図示せず）と、フラッシュ発光部１７と、他の回路基板４８とが、屈曲光学ユニット２２の長手方向と平行に、すなわち図において左右方向に配置されている。
【００７１】
カメラ本体１２ｅ内の前側には、接続用フレキシブル基板４７が配置され、下部の制御回路基板４２と上部の他の基板４８とを接続するようになっている。
【００７２】
フラッシュ充電回路基板５２がフラッシュ用メインコンデンサ５０のすぐ上に配置され、メインコンデンサ５０への充電を行っている。メインコンデンサ５０に蓄電されたエネルギーは、リード線５８で接続されたフラッシュ発光部１７のキセノン管を通して、撮影時に放電される。図８（ａ）に示すように、リード線５８は、屈曲光学ユニット２２のプリズム２１の後方空間（プリズム２１の光軸とは反対側に隣接する空間）を通る。プリズム２１の背面（光軸とは反対側）には、フラッシュトリガ回路基板５４が配置されている。フラッシュトリガ回路基板５４には、発光量を制御するＩＧＢＴやトリガコイルが実装されている。
【００７３】
大電流が流れるフラッシュの発光ループを、屈曲光学ユニット２２のプリズム２１とカメラ本体１２ｅの外装カバーとの間の空間を利用して構成することで、効率のよいレイアウトを実現するとともに、制御回路基板４２との距離を離して発光ノイズの影響を減少させている。
【００７４】
次に、第７実施例のデジタルカメラ１０ｆについて、図９の部品配置図を参照しながら説明する。図９（ａ）は横から見た透視図、（ｂ）は前から見た透視図である。
【００７５】
デジタルカメラ１０ｆのカメラ本体１２ｆは、他の実施例と異なり、縦方向に長い薄型形状である。カメラ本体１２ｆ内には、屈曲光学ユニット２２が上下方向に配置され、カメラ本体１２ｆの前面上部の略中央に設けられたレンズ開口（図示せず）からの被写体光をプリズム２１により下方に反射し、カメラ本体１２ｆ内の底部の略中央に配置された撮像素子２４の受光面に被写体像を結像するようになっている。屈曲光学ユニット２２は、被写体光の光軸を略９０度下方に折り曲げる。屈曲光学ユニット２２の上下方向寸法は、カメラ本体１２ｆの高さと略等しく、カメラ本体１２ｆ内に略一杯に配置されている。
【００７６】
屈曲光学ユニット２２の両側には、構成要素を振り分けて配置している。
【００７７】
すなわち、図９（ｂ）に示したように、カメラ本体１２ｆを前から見たときに、屈曲光学ユニット２２の右側には、フラッシュ充電回路基板５２と、フラッシュ用メインコンデンサ５０と、制御回路基板４２とが、光学ユニット２２の長手方向と平行に、すなわち図において上下方向に配置されている。さらに、光学ファインダ窓１８も右側に配置されている。
【００７８】
屈曲光学ユニット２２の左側には、記録媒体３８（例えば、メモリースティック）が挿入されるスロット部（図示せず）と、他の回路基板４８とが、屈曲光学ユニット２２の長手方向と平行に、すなわち図９（ｂ）において上下方向に配置されている。さらに、フラッシュ発光部１７も左側に配置されている。
【００７９】
カメラ本体１２ｆ内の前側には、接続用フレキシブル基板４７が配置され、右側の制御回路基板４２と左側の他の基板４８とを接続するようになっている。
【００８０】
フラッシュ充電回路基板５２がフラッシュ用メインコンデンサ５０のすぐ横に配置され、メインコンデンサ５０への充電を行っている。メインコンデンサ５０に蓄電されたエネルギーは、リード線５８で接続されたフラッシュ発光部１７のキセノン管を通して、撮影時に放電される。図９（ａ）に示すように、リード線５８は、屈曲光学ユニット２２のプリズム２１の後方空間を通る。プリズム２１の背面には、フラッシュトリガ回路基板５４が配置されている。フラッシュトリガ回路基板５４には、発光量を制御するＩＧＢＴやトリガコイルが実装されている。
【００８１】
大電流が流れるフラッシュの発光ループを、屈曲光学ユニット２２のプリズム２１とカメラ本体１２ｆの外装カバーとの間の空間を利用することで、効率のよいレイアウトを実現するとともに、制御回路基板４２との距離を離して発光ノイズの影響を減少させている。
【００８２】
以上説明した各カメラ１０，１０ａ〜１０ｆは、カメラ本体１２，１２ａ〜１２ｆ内に効率的に構成要素を配置し、撮影時の不用意なレンズ開口部への指係りを防止し、かつ薄型化、小型化を達成することができる。
【００８３】
なお、本発明は上記各実施例に限定されるものではなく、その他種々の態様で実施可能である。
【００８４】
例えば、プリズム２１の代わりに反射ミラー等を用いて光軸を折り曲げるようにしてもよい。
【図面の簡単な説明】
【図１】本発明の第１実施例を示すデジタルカメラの斜視図である。
【図２】図１のデジタルカメラの透視図である。
【図３】本発明の第２実施例を示すデジタルカメラの斜視図である。
【図４】図３のデジタルカメラの透視図である。
【図５】本発明の第３実施例を示すデジタルカメラの部品配置図である。
【図６】本発明の第４実施例を示すデジタルカメラの部品配置図である。
【図７】本発明の第５実施例を示すデジタルカメラの部品配置図である。
【図８】本発明の第６実施例を示すデジタルカメラの部品配置図である。
【図９】本発明の第７実施例を示すデジタルカメラの部品配置図である。
【符号の説明】
１０，１０ａ〜１０ｆ  デジタルカメラ
１４  レリーズ釦（操作部材）
１５，１５ｂ  グリップ部
１７  フラッシュ発光部（フラッシュ装置）
１９  レンズ開口部
２１  プリズム（屈曲部材）
２２  屈曲光学ユニット
２４  撮像素子（撮像手段）
２８  表示装置
３２  電池パック（構成要素、電源）
３４  乾電池（構成要素、電源）
３８  記録媒体（構成要素）
４０  接続用ハード基板（構成要素、接続部材）
４２  制御回路基板（構成要素、制御部）
４４ａ，４４ｂ  回路基板（構成要素）
４５  回路基板（構成要素）
４６ａ〜４６ｄ  フレキシブル基板（構成要素、接続部材）
４７  フレキシブル基板（構成要素、接続部材）
４８  回路基板（構成要素）
５０  フラッシュ用メインコンデンサ（構成要素、フラッシュ用のコンデンサ）
５２  フラッシュ充電回路基板（構成要素、フラッシュ充電装置）
５４  フラッシュトリガ回路基板（構成要素）
５６  フラッシュ充電回路基板（構成要素）
５８  リード線（接続部材）
【図１】
2004219516.tif 000003
【図２】
2004219516.tif 000004
【図３】
2004219516.tif 000005
【図４】
2004219516.tif 000006
【図５】
2004219516.tif 000007
【図６】
2004219516.tif 000008
【図７】
2004219516.tif 000009
【図８】
2004219516.tif 000010
【図９】
2004219516.tif 000011